【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
オリゴエステル組成物であって、
トール油ロジンおよびガムロジンから選択される１種類以上のロジン、
芳香族一官能性カルボン酸、ヘテロ芳香族一官能性カルボン酸、脂肪族一官能性カルボン酸および脂環式一官能性カルボン酸からなる群から選択される、少なくとも１５重量％の１種類以上の６〜３６個の炭素原子を含むモノカルボン酸、および
５〜３０重量％の１種類以上の２〜３６個の炭素原子を含む多価アルコールであって、多価アルコールのそれぞれのヒドロキシル基が、他のヒドロキシル基から少なくとも２個の炭素原子によって分離されており、かつ、平均ヒドロキシル官能性が２〜１０である多価アルコール
を含む反応混合物の反応生成物であって、
重量平均分子量（ＭＷ）が、５００ｇ／ｍｏｌ〜８０００ｇ／ｍｏｌであり、かつ、Ｔｇが−８０℃〜１００℃であり、および
３０ｍｇＫＯＨ／ｇ未満のヒドロキシル数を有する、オリゴエステル組成物。
【請求項２】
前記反応混合物が、さらに、Ｑ重量％未満の１種類以上のポリカルボン酸を含み、ここで、Ｑは、
【数１】
2019501276.tif 000001
によって定義され、
式中、
Σは、１種類以上のポリカルボン酸それぞれについて、ＸとＹの積の算術合計を示し、
Ｘは、ポリカルボン酸のカルボン酸官能性であり、２〜４の整数であり、および
Ｙは、ポリカルボン酸重量分率であり、０〜１の範囲であり、１種類以上のポリカルボン酸の重量分率の合計は１に等しく
前記ポリカルボン酸は、２〜５４個の炭素原子を含み、かつ、ジカルボン酸、トリカルボン酸およびテトラカルボン酸からなる群から選択される、請求項１に記載のオリゴエステル組成物。
【請求項３】
前記反応が、エステル化反応、エステル交換反応、分子間エステル化反応、又はこれらの組み合わせである、請求項１または２に記載のオリゴエステル組成物。
【請求項４】
前記反応混合物が、０重量％より多く４重量％までの１種類以上のジカルボン酸を含む、請求項２に記載のオリゴエステル組成物。
【請求項５】
前記反応混合物が、０重量％より多く４重量％までの１種類以上のジカルボン酸を含み、および、９重量％〜１８重量％の１種類以上の多価アルコールを含む、請求項２に記載のオリゴエステル組成物。
【請求項６】
前記１種類以上のポリカルボン酸が、アジピン酸、３−メチルアジピン酸、コハク酸、セバシン酸、１，４−シクロヘキサンジカルボン酸、１，３−シクロヘキサンジカルボン酸、１，２−シクロヘキサンジカルボン酸、ロジンダイマー、イソフタル酸、テレフタル酸、フタル酸、トール油脂肪酸ダイマー、水素化トール油脂肪酸ダイマー、２−（２−カルボキシフェニル）安息香酸、２，５−フランジカルボン酸、カンファー酸、ｃｉｓ−ノルボルネン−ｅｎｄｏ−２，３−ジカルボン酸、トリメリット酸、及びそれらの組み合わせからなる群から選択される、請求項２に記載のオリゴエステル組成物。
【請求項７】
前記反応混合物が、４０重量％〜８０重量％の１種類以上のモノカルボン酸を含む、請求項１または２に記載のオリゴエステル組成物。
【請求項８】
前記１種類以上のモノカルボン酸が、脂肪酸、トール油脂肪酸、又はそれらの組み合わせを含む、請求項７に記載のオリゴエステル組成物。
【請求項９】
前記１種類以上の多価アルコールが、エチレングリコール、プロピレングリコール、ジエチレングリコール、トリエチレングリコール、テトラエチレングリコール、ポリエチレングリコール、ネオペンチルグリコール、トリメチレングリコール、グリセロール、トリメチロールプロパン、トリメチロールエタン、ペンタエリスリトール、工業用ペンタエリスリトール、ジペンタエリスリトール、トリペンタエリスリトール、１，４−シクロヘキサンジオール、ポリグリセロール、工業用ポリグリセロール、ポリグリセロール−３、ポリグリセロール−４、シクロヘキサン−１，４−ジメタノール、トリシクロ［５．２．１．０（２．６）］デカン−４，８−ジメタノール、水素化ビスフェノールＡ（４，４’−イソプロピリデンジシクロヘキサノール）、マンニトール、ソルビトール、キシリトール、マルチトール、ラクチトール、及びそれらの組み合わせからなる群から選択される、請求項１または２に記載のオリゴエステル組成物。
【請求項１０】
前記反応混合物が、
５重量％〜７５重量％の１種類以上のロジン、
２５重量％〜８５重量％の１種類以上のモノカルボン酸、
９重量％〜１８重量％の１種類以上の多価アルコール、
０重量％より多く、４重量％未満の１種類以上のポリカルボン酸を含む、請求項２に記載のオリゴエステル組成物。
【請求項１１】
前記組成物が、１６０℃で４時間にわたり、１０％未満の質量損失を示す、請求項１または２に記載のオリゴエステル組成物。
【請求項１２】
請求項１または２に記載のオリゴエステル組成物を含む可塑剤。
【請求項１３】
ゴムポリマー、フィラー、請求項１または２に記載のオリゴエステル組成物を含む、タイヤトレッド組成物。
【請求項１４】
ポリマー組成物であって、
（ａ）ポリマー、
（ｂ）請求項１または２に記載のオリゴエステル組成物を含む、ポリマー組成物。
【請求項１５】
前記ポリマーが、ポリアクリレート、ポリオレフィン、ポリアミド、ポリビニルエーテル、ポリウレタン、ポリエステル、ポリビニルエステル、それらのコポリマー、及びそれらのブレンドからなる群から選択される、請求項１４に記載のポリマー組成物。
【請求項１６】
前記ポリマーが、アクリロニトリル−ブタジエン−スチレン、アクリルポリマー、アクリルコポリマー、ブロモブチルゴム、ブチルターポリマー、酢酸セルロース、酪酸セルロース、プロピオン酸セルロース、硝酸セルロース、塩素化ポリ塩化ビニル、ポリ塩化ビニル、クロロスルホン酸化ポリエチレン、シアノアクリレート、ポリスチレンブロックとゴムブロックとからなり、ゴムブロックが、ポリブタジエン、ポリイソプレン又はそれらの水素化態様からなるスチレンブロックコポリマー、カプロラクトン−スチレンジブロックコポリマー、ウレタンアクリルコポリマー、ウレタン、ポリオレフィン、エチレン−プロピレン−ジエンコポリマー、エポキシ樹脂、エチレン−酢酸ビニルコポリマー、イオノマー、ニトリルゴム、ポリアクリロニトリル、ポリアミド、ポリアミン、ポリアニリン、ポリブタジエン、ポリブチレン、ポリ（メタクリル酸ブチル）、ポリカーボネート、ポリエステル、ポリエーテルイミド、ポリアクリル酸エチル、ポリエチレン、ポリ（エチレン）オキシド、ポリイソブチレン、ポリイソプレン、ポリイミド、ポリラクチド、ポリメタクリル酸メチル、ポリプロピレン、ポリ（Ｎ−ビニルカルバゾール）、ポリ（Ｎ−ビニルピロリドン）、ポリフェニレンエーテル、ポリスチレン、ポリスルホン、ポリスルフィド、ポリ酢酸ビニル、ポリビニルアルコール、ポリビニルブチラール、ポリ塩化ビニル、ポリフッ化ビニリデン、ポリ塩化ビニリデン、ポリウレタン、タンパク質、天然ゴム、シリコーン、スチレン−ブタジエンゴム、スチレン−ブタジエン−スチレン、デンプン、それらのコポリマー、及びそれらのブレンドからなる群から選択される、請求項１４に記載のポリマー組成物。
【請求項１７】
オリゴエステル組成物を調製する方法であって、
トール油ロジンおよびガムロジンから選択される１種類以上のロジン、
芳香族一官能性カルボン酸、ヘテロ芳香族一官能性カルボン酸、脂肪族一官能性カルボン酸および脂環式一官能性カルボン酸からなる群から選択される、少なくとも１５重量％の１種類以上の６〜３６個の炭素原子を含むモノカルボン酸、
任意選択的に、２〜５４個の炭素原子を含み、かつ、ジカルボン酸、トリカルボン酸およびテトラカルボン酸からなる群から選択される、０重量％より多く、４重量％までの１種類以上のポリカルボン酸を含む混合物を、５〜３０重量％の１種類以上の２〜３６個の炭素原子を含む多価アルコールであって、多価アルコールのそれぞれのヒドロキシル基が、他のヒドロキシル基から少なくとも２個の炭素原子によって分離されており、かつ、平均ヒドロキシル官能性が２〜１０である多価アルコールでエステル化し、オリゴエステル組成物を作成することを含み、
オリゴエステル組成物が、５００ｇ／ｍｏｌ〜８０００ｇ／ｍｏｌの重量平均分子量（ＭＷ）、および−８０℃〜１００℃のＴｇを有し、および
オリゴエステル組成物が、３０ｍｇＫＯＨ／ｇ未満のヒドロキシル数を有する、方法。
【請求項１８】
請求項１７に記載の方法によって作られたオリゴエステル組成物。
【請求項１９】
オリゴエステル組成物であって、トール油ロジンおよびガムロジンから選択される１種類以上のロジン、
芳香族一官能性カルボン酸、ヘテロ芳香族一官能性カルボン酸、脂肪族一官能性カルボン酸および脂環式一官能性カルボン酸からなる群から選択される、少なくとも１５重量％の１種類以上の６〜３６個の炭素原子を含むモノカルボン酸、
９重量％〜１８重量％の１種類以上の２〜３６個の炭素原子を含む多価アルコールであって、多価アルコールのそれぞれのヒドロキシル基が、他のヒドロキシル基から少なくとも２個の炭素原子によって分離されており、かつ、平均ヒドロキシル官能性が２〜１０である多価アルコール、および任意選択的に、２〜５４個の炭素原子を含み、かつ、ジカルボン酸、トリカルボン酸およびテトラカルボン酸からなる群から選択される、０重量％より多く、４重量％までの１種類以上のポリカルボン酸を含む反応混合物のエステル化反応生成物であり、
この組成物は、重量平均分子量が５００ｇ／ｍｏｌ〜８０００ｇ／ｍｏｌであり、Ｔｇが、−８０℃〜１００℃であり、および
３０ｍｇＫＯＨ／ｇ未満のヒドロキシル数を有する、オリゴエステル組成物。
【請求項２０】
オリゴエステル組成物であって、
トール油ロジンおよびガムロジンから選択される１種類以上のロジン、
芳香族一官能性カルボン酸、ヘテロ芳香族一官能性カルボン酸、脂肪族一官能性カルボン酸および脂環式一官能性カルボン酸からなる群から選択される、１種類以上の６〜３６個の炭素原子を含むモノカルボン酸、
５〜３０重量％の１種類以上の２〜３６個の炭素原子を含む多価アルコールであって、多価アルコールのそれぞれのヒドロキシル基が、他のヒドロキシル基から少なくとも２個の炭素原子によって分離されており、かつ、平均ヒドロキシル官能性が２〜１０である多価アルコール、および
２〜５４個の炭素原子を含み、かつ、ジカルボン酸、トリカルボン酸およびテトラカルボン酸からなる群から選択される、Ｑ重量％未満の１種類以上のポリカルボン酸の反応生成物であり、ここで、Ｑは、下式
【数２】
2019501276.tif 000002
によって定義され、
式中、
Σは、１種類以上のポリカルボン酸それぞれについて、ＸとＹの積の算術合計を示し、
Ｘは、ポリカルボン酸のカルボン酸官能性であり、２〜４の整数であり、および
Ｙは、ポリカルボン酸重量分率であり、０〜１の範囲であり、１種類以上のポリカルボン酸の重量分率の合計は１に等しく、このオリゴエステル組成物は、軟化点が８５℃以下であり、このオリゴエステル組成物は、ヒドロキシル価が３０ｍｇＫＯＨ／ｇ以下である、オリゴエステル組成物。
【請求項２１】
感圧接着剤（ＰＳＡ）であって、ポリマーとオリゴエステル組成物とを含み、
この接着剤は、少なくとも２５ニュートン／２５ｍｍのステンレス鋼に対するループタック接着値、少なくとも２０ニュートン／２５ｍｍの２０分後のステンレス鋼に対する１８０°剥離接着、少なくとも３０００分の剪断接着時間、及び少なくとも５５℃のＳＡＦＴ疲労温度を示す、感圧接着剤（ＰＳＡ）であって、
オリゴエステル組成物は、
トール油ロジンおよびガムロジンから選択される１種類以上のロジン、
芳香族一官能性カルボン酸、ヘテロ芳香族一官能性カルボン酸、脂肪族一官能性カルボン酸および脂環式一官能性カルボン酸からなる群から選択される、少なくとも１５重量％の１種類以上の６〜３６個の炭素原子を含むモノカルボン酸、および
任意選択的に、２〜５４個の炭素原子を含み、かつ、ジカルボン酸、トリカルボン酸およびテトラカルボン酸からなる群から選択される、０重量％より多く、４重量％までの１種類以上のポリカルボン酸、および
５〜３０重量％の１種類以上の２〜３６個の炭素原子を含む多価アルコールであって、多価アルコールのそれぞれのヒドロキシル基が、他のヒドロキシル基から少なくとも２個の炭素原子によって分離されており、かつ、平均ヒドロキシル官能性が２〜１０である多価アルコール
を含む反応混合物の反応生成物であって、
当該組成物が、５００ｇ／ｍｏｌ〜８０００ｇ／ｍｏｌの重量平均分子量（ＭＷ）、および−８０℃〜１００℃のＴｇを有し、および
オリゴエステル組成物が、３０ｍｇＫＯＨ／ｇ未満のヒドロキシル数を有する、感圧接着剤（ＰＳＡ）。